(57)【要約】【課題】            素人でも一定レベル以上の絵を容易に描けるようにすると共に、絵を描いたという快感を得ることができる、絵画の画法指導書を提供する。【解決手段】        模範下書き絵図４を描いた練習用シート２と解説シート３とから成り、前記模範下書き絵図の下書き描線５は識別可能な色彩の異なる色の描線とし、前記解説シートに前記下書き描線の色別の描き順序を記した描法指導説明欄７を設けた。前記練習用シート２と前記解説シート３は画法指導書本体１に一体に綴られ、前記練習用シートはミシン目線６によって切り離し可能に複数枚が重ねて綴られている。前記練習用シート２は、初級用の練習用シート２ａと中級用の練習用シート２ｂを含む。【選択図】          図１
0003127081.tif 000002
【実用新案登録請求の範囲】
【請求項１】
下書き描線から成る模範下書き絵図を紙製シート面に描いた練習用シートと、この練習用シートに描かれた前記模範下書き絵図に対応した解説シートとから構成され、前記模範下書き絵図を構成する前記下書き描線は、この下書き描線を基にして前記練習用シートに色を描く際に描く順序を識別可能な色彩の異なる色の描線とし、前記解説シートには、前記下書き描線の色別の描き順序を記した描法指導説明欄を設けた、ことを特徴とする絵画の画法指導書。
【請求項２】
下書き描線から成る模範下書き絵図を紙製シート面に描いた練習用シートと、この練習用シートに描かれた前記模範下書き絵図に対応した解説シートとから構成され、前記模範下書き絵図を構成する前記下書き描線は、この下書き描線を基にして前記練習用シートに色を描く際に描く順序を識別可能な線幅の異なる描線とし、前記解説シートには、前記下書き描線の線幅別の描き順序を記した描法指導説明欄を設けた、ことを特徴とする絵画の画法指導書。
【請求項３】
下書き描線から成る模範下書き絵図を紙製シート面に描いた練習用シートと、この練習用シートに描かれた前記模範下書き絵図に対応した解説シートとから構成され、前記模範下書き絵図を構成する前記下書き描線は、この下書き描線を基にして前記練習用シートに色を描く際に描く順序を識別可能な線種の異なる描線とし、前記解説シートには、前記下書き描線の線種別の描き順序を記した描法指導説明欄を設けた、ことを特徴とする絵画の画法指導書。
【請求項４】
前記練習用シートは、初級用の練習用シートと中級用の練習用シートを含み、この初級用及び中級用の練習用シートは、それぞれ同じ構図の前記模範下書き絵図を描いて構成し、前記初級用の練習用シートは、比較的詳細な構図の前記下書き描線から成る前記模範下書き絵図を描いて構成し、前記中級用の練習用シートは、比較的簡略な構図の前記下書き描線から成る前記模範下書き絵図を描いて構成したことを特徴とする請求項１から３のいずれかに記載の絵画の画法指導書。
【請求項５】
前記練習用シートは、初級用の練習用シートと中級用の練習用シートを含み、この初級用及び中級用の練習用シートは、それぞれ同じ構図の前記模範下書き絵図を描いて構成し、前記初級用の練習用シートは、比較的詳細な構図の前記下書き描線から成る前記模範下書き絵図を描いて構成し、前記中級用の練習用シートは、比較的簡略な構図の前記下書き描線から成る前記模範下書き絵図を描いて構成し、且つ、前記初級用の練習用シートと中級用の練習用シートは、一枚の紙製シートの表裏シート面にそれぞれ描いて構成したことを特徴とする請求項１から３のいずれかに記載の絵画の画法指導書。
【請求項６】
前記練習用シートと前記解説シートは画法指導書本体に一体に綴られ、前記練習用シートは、ミシン目線によって切り離し可能に前記画法指導書本体に複数枚が重ねて綴られて構成されたことを特徴とする請求項１から５のいずれかに記載の絵画の画法指導書。
【考案の詳細な説明】
【技術分野】
【０００１】
本考案は、素人でも絵画を上手に描けるようにした絵画の画法指導書に関する。
【背景技術】
【０００２】
画法の指導書籍として、実用新案登録第３１１４８９９号が公開されている。この画法の指導書籍は、指導用の挿絵が描かれた手本シートと、この手本シートの上に重ねられた透明又は半透明な模写用紙（トレーシングペーパー）と、を一体に綴じたことを特徴とし、基本的な用法としては、指導用の挿絵をトレーシングペーパーに模写できるようにしたにすぎず、絵を描いたという快感を得られないものであった。しかも、模写するトレーシングペーパーは水彩画の用紙としては適さないものである。
【０００３】
【特許文献１】実用新案登録第３１１４８９９号公報
【考案の開示】
【考案が解決しようとする課題】
【０００４】
本考案は、素人でも一定レベル以上の彩色した絵を容易に描けるようにすると共に、絵を描いたという快感を得ることができる、絵画の画法指導書を提供する、ことを主な目的とする。
【課題を解決するための手段】
【０００５】
上記の課題を解決するため、本考案に係る絵画の画法指導書の第１の構成は、下書き描線から成る模範下書き絵図を紙製シート面に描いた練習用シートと、この練習用シートに描かれた前記模範下書き絵図に対応した解説シートとから構成され、前記模範下書き絵図を構成する前記下書き描線は、この下書き描線を基にして前記練習用シートに色を描く際に描く順序を識別可能な色彩の異なる色の描線とし、前記解説シートには、前記下書き描線の色別の描き順序を記した描法指導説明欄を設けた、ことを特徴とする。
【０００６】
また、上記の課題を解決するため、本考案に係る絵画の画法指導書の第２の構成は、下書き描線から成る模範下書き絵図を紙製シート面に描いた練習用シートと、この練習用シートに描かれた前記模範下書き絵図に対応した解説シートとから構成され、前記模範下書き絵図を構成する前記下書き描線は、この下書き描線を基にして前記練習用シートに色を描く際に描く順序を識別可能な線幅（線の太さ）の異なる描線とし、前記解説シートには、前記下書き描線の線幅（線の太さ）別の描き順序を記した描法指導説明欄を設けた、ことを特徴とする。
【０００７】
また、上記の課題を解決するため、本考案に係る絵画の画法指導書の第３の構成は、下書き描線から成る模範下書き絵図を紙製シート面に描いた練習用シートと、この練習用シートに描かれた前記模範下書き絵図に対応した解説シートとから構成され、前記模範下書き絵図を構成する前記下書き描線は、この下書き描線を基にして前記練習用シートに色を描く際に描く順序を識別可能な線種（線の種類）の異なる描線とし、前記解説シートには、前記下書き描線の線種（線の種類）別の描き順序を記した描法指導説明欄を設けた、ことを特徴とする。
【０００８】
また、上記の課題を解決するため、本考案に係る絵画の画法指導書の第４の構成は、前記第１から第３のいずれかの構成の絵画の画法指導書において、前記練習用シートは、初級用の練習用シートと中級用の練習用シートを含み、この初級用及び中級用の練習用シートは、それぞれ同じ構図の前記模範下書き絵図を描いて構成し、前記初級用の練習用シートは、比較的詳細な構図の前記下書き描線から成る前記模範下書き絵図を描いて構成し、前記中級用の練習用シートは、比較的簡略な構図の前記下書き描線（例えば、目線ラインと中心対象物の輪郭構図のみ描いた下書き描線）から成る前記模範下書き絵図を描いて構成したことを特徴とする。そして、前記初級用の練習用シートと中級用の練習用シートは、一枚の紙製シートの表裏シート面にそれぞれ描いて構成したことを特徴とする。
【０００９】
また、上記の課題を解決するため、本考案に係る絵画の画法指導書の第５の構成は、前記第１から第４のいずれかの構成の絵画の画法指導書において、前記練習用シートと前記解説シートは画法指導書本体に一体に綴られ、前記練習用シートは、ミシン目線によって切り離し可能に前記画法指導書本体に複数枚が重ねて綴られて構成されたことを特徴とする。
【考案の効果】
【００１０】
本考案の第１、第２、第３の構成の絵画の画法指導書によれば、解説シートの描法指導説明欄に記された指導に従って前記練習用シートに、素人でも一定レベル以上の彩色した絵を容易に描けると共に、絵を描いたという快感を得ることができる。
【００１１】
また、本考案の第４の構成の絵画の画法指導書によれば、描く人の上達レベルに応じて、絵を描いたという快感を得ることができる、初級用又は中級用の前記練習用シートを選択できる。
【００１２】
また、本考案の第５の構成の絵画の画法指導書によれば、前記練習用シートと前記解説シートの散逸を防止でき、所望の前記練習用シートに絵を描く際には、前記画法指導書本体から前記練習用シートを切り離し、切り離した前記練習用シートに、前記画法指導書本体に綴じられている解説シートの描法指導説明欄に記された指導に従って、絵を描くことができる。
【考案を実施するための最良の形態】
【００１３】
本考案に係る絵画の画法指導書の実施形態について、図面を参照して説明する。図１は、画法指導書本体の練習用シートページを開いた斜視図で、図１（ａ）は表面側ページの初級用の練習用シートページを、図１（ｂ）は裏面側ページの中級用の練習用シートページを示している。また、図２（ａ）は画法指導書本体の解説シートページを開いた斜視図である。図２（ｂ）は画法指導書本体から切り離した練習用シートの説明図である。
【００１４】
図１及び図２（ａ）に示すように、画法指導書本体１には、練習用シート（練習用シートページ）２と、解説シート（解説シートページ）３を含み、これらの練習用シート（練習用シートページ）２と解説シート（解説シートページ）３は画法指導書本体１に一体に綴られている。
【００１５】
前記練習用シート（練習用シートページ）２には、その紙製シート面に下書き描線５から成る模範下書き絵図４が描かれており、前記解説シート（解説シートページ）３には、前記練習用シート（練習用シートページ）２に描かれた前記模範下書き絵図４に対応した描法指導説明等が記されている。
【００１６】
前記練習用シート（練習用シートページ）２は、ミシン目線６によって綴じ代側を切り離し可能に前記画法指導書本体１に複数枚（例えば８枚）が重ねて綴られ、一枚ずつ描かれた前記模範下書き絵図４の構図（及び対象となるモチーフ）をそれぞれ別のものとしている。複数枚（例えば８枚）の前記練習用シート（練習用シートページ）２には、例えば、「東京に残る江戸・厳選八景」のようなテーマ性を加味した異なる構図（及び対象となるモチーフ）の前記模範下書き絵図４とすることができる。
【００１７】
前記練習用シート（練習用シートページ）２は、初級用の練習用シート（練習用シートページ）２ａと中級用の練習用シート（練習用シートページ）２ｂを含み、この初級用及び中級用の両練習用シート（練習用シートページ）２ａ，２ｂは、それぞれ同じ構図の前記模範下書き絵図４を描いて構成し、前記初級用の練習用シート（練習用シートページ）２ａは、比較的詳細な構図の前記下書き描線５から成る前記模範下書き絵図４（４ａ）を描いて構成し、前記中級用の練習用シート（練習用シートページ）２ｂは、比較的簡略な構図の前記下書き描線５（例えば、目線ラインと中心対象物の輪郭構図のみ描いた下書き描線）から成る前記模範下書き絵図４（４ｂ）を描いて構成してある。そして、この実施形態では、前記初級用の練習用シート（練習用シートページ）２ａと中級用の練習用シート（練習用シートページ）２ｂを、一枚の紙製シートの表裏シート面にそれぞれ描いて構成してある。図示した実施形態では、一枚の紙製シートの表面側ページに図１（ａ）の右ページで示したような初級用の練習用シート（練習用シートページ）２ａを、同シートの裏面側ページに図１（ｂ）の左ページで示したような中級用の練習用シート（練習用シートページ）２ｂを構成している。なお、図面では便宜的に空白とした図１（ａ）の左ページ、図１（ｂ）の右ページは、別の前記模範下書き絵図４を描いた前記練習用シート（練習用シートページ）２である。
【００１８】
前記練習用シート（練習用シートページ）２の前記模範下書き絵図４を構成する前記下書き描線５は、この下書き描線５を基にして前記練習用シート２に直接色を描く際に描く順序を識別可能な色彩の異なる色の描線によって構成している。そして、前記解説シート（解説シートページ）３には、前記下書き描線５の色別の描き順序を記した描法指導説明欄７を設けている。図１（ａ）の右ページで示した初級用の練習用シート（練習用シートページ）２ａでは、一例として、絵図中心の建物を描いた下書き描線５を茶色で、絵図左側上部の建物を描いた下書き描線５を黄色で、絵図左側下部の建物を描いた下書き描線５をオレンジ色で、絵図下部に斜めに延びるレール軌道を描いた下書き描線５をこげ茶色で描いている。また、図１（ｂ）の左ページで示した中級用の練習用シート（練習用シートページ）２ｂでは、一例として、絵図の中心対象物（中心の建物）の輪郭構図線を水色の下書き描線５で、絵図下部で横方向に延びる目線ラインを赤色の下書き描線５で描いている。
【００１９】
なお、この実施形態では、前記下書き描線５を色で識別し、下書き描線５の色別の描き順序を記した描法指導説明欄７の指導説明に従って、練習用シート２の模範下書き絵図４に直接、水彩絵の具やクレヨン等で色を描くようにした。よって、素人でも一定レベル以上の彩色した絵を容易に描け、絵を描いたという快感を得ることができる。
【００２０】
前記下書き描線５の識別手段としては、この実施形態における色での識別の他、下書き描線５を線幅（線の太さ）や線種（線の種類）で識別することも可能である。例えば、下書き描線５を、太線、普通線、細線のように線幅（線の太さ）で識別可能に構成し、描法指導説明欄７の説明で太線、普通線、細線の順に描くように指導する。また、例えば、下書き描線５を、実線、破線、一点鎖線のように線種（線の種類）で識別可能に構成し、描法指導説明欄７の説明で実線、破線、一点鎖線の順に描くように指導する。また、前記下書き描線５の識別手段としては、前記した、色での識別、線幅（線の太さ）での識別、線種（線の種類）での識別を、適宜組み合わせることも可能である。
【００２１】
前記解説シート（解説シートページ）３には、各練習用シート（練習用シートページ）２の模範下書き絵図４に対応させた前記描法指導説明欄７を設ける他に、各模範下書き絵図４に対応させた図示してないロケーションガイド欄（写真、地図、ガイド文を記した。）、プロ絵師による下絵描きから彩色までの全作画プロセス詳細解説欄（図示してない）を設けることもできる。
【００２２】
使用に際しては、前記画法指導書本体１から描きたい所望の前記練習用シート（練習用シートページ）２をミシン目線６に沿って切り離す。そして、図２に示したように、前記画法指導書本体１に綴じられている解説シート（解説シートページ）３の前記練習用シート２に対応した描法指導説明欄７に記された指導に従って、切り離した前記練習用シート２に直接水彩絵の具やクレヨン等で彩色し絵を描いていく。
【図面の簡単な説明】
【００２３】
【図１】画法指導書本体の練習用シートページを開いた斜視図で、図１（ａ）は初級用の練習用シートページを、図１（ｂ）は中級用の練習用シートページを示している。
【図２】図２（ａ）は画法指導書本体の解説シートページを開いた斜視図、図２（ｂ）は画法指導書本体から切り離した練習用シートの説明図である。
【符号の説明】
【００２４】
１  画法指導書本体
２  練習用シート（練習用シートページ）
２ａ  初級用の練習用シート（練習用シートページ）
２ｂ  中級用の練習用シート（練習用シートページ）
３  解説シート（解説シートページ）
４  模範下書き絵図
５  下書き描線
６  ミシン目線
７  描法指導説明欄
【図１】
0003127081.tif 000003
【図２】
0003127081.tif 000004